(57)【要約】  【課題】  光ディスク装置において、記録時間の短縮化と記録品質を確保を可能にする。  【解決手段】  記録時、反射レーザ光の強さまたは光量を検出し、該検出結果を基準値と比較し、該基準値で規定される範囲を外れるか否かを判別し、該範囲を外れるときに、記録動作を停止させ、停止直前に記録された記録マークのβ値を測定し、目標β値との差分を求め、該差分に基づき記録パワーを増大または減少させる補正を行い、該補正した記録パワーで記録動作を再開する構成とする。【選択図】  図１
2008027520.tif 000002
【特許請求の範囲】
【請求項１】
光ディスクにレーザ光を照射し情報記録を行う光ディスク装置であって、
上記レーザ光を発光するレーザダイオードと、
上記レーザダイオードを駆動するレーザ駆動回路と、
上記レーザ駆動回路に供給する記録信号を生成する記録信号生成部と、
光ディスクからの反射レーザ光に基づく再生信号から、該反射レーザ光の強さまたは光量を検出し、基準値と比較する戻り光レベル検出手段と、
光ディスクからの反射レーザ光に基づく再生信号から、該光ディスクに記録された記録マークのβ値を測定するβ測定手段と、
上記測定したβ値を目標β値と比較し、その差分に対応して記録パワーの補正量または補正率を演算する記録パワー補正演算手段と、
上記β測定手段、上記戻り光レベル検出手段及び上記記録パワー補正演算手段を制御する制御手段と、
を備えた構成としたことを特徴とする光ディスク装置。
【請求項２】
上記制御手段は、記録中に、上記戻り光レベル検出手段において、上記比較の結果上記基準値で規定される範囲外の強さまたは光量の反射レーザ光が検出されたとき、該戻り光レベル検出手段から該検出結果に応じた制御信号を上記レーザ駆動回路に向けて出力させて該レーザ駆動回路からの記録用駆動信号の上記レーザダイオードへの出力を停止させ、該停止状態で、該停止直前に記録された記録マークのβ値を、β測定手段により測定させ、上記記録パワー補正演算手段に、該測定したβ値を目標β値と比較させ、その差分に対応して記録パワーの補正量または補正率を演算させる構成を備える請求項１に記載の光ディスク装置。
【請求項３】
上記制御手段は、上記戻り光レベル検出手段における上記基準値として、記録品質が許容範囲内となる値を設定する請求項１または請求項２に記載の光ディスク装置。
【請求項４】
上記制御手段は、上記記録パワー補正演算手段が、記録パワーの補正量または補正率を演算した後、装置に記録動作を再開させる構成である請求項２に記載の光ディスク装置。
【請求項５】
光ディスクにレーザ光を照射して情報記録を行う光ディスク装置の情報記録方法であって、
記録時、反射レーザ光の強さまたは光量を検出するステップと、
上記検出した値を、予め設定してある基準値と比較して、該基準値で規定される範囲を外れるか否かを判別するステップと、
上記判別の結果、上記検出した値が上記基準値で規定される範囲を外れるとき、記録動作を停止させるステップと、
上記記録停止状態で、該停止直前に記録された記録マークのβ値を測定するステップと、
上記測定したβ値を目標β値と比較し、両者の差分を求めるステップと、
上記差分に基づき記録パワーの補正量または補正率を演算するステップと、
上記補正量または補正率により補正した記録パワーで記録動作を再開するステップと、
を備えたことを特徴とする光ディスク装置の情報記録方法。
【発明の詳細な説明】
【技術分野】
【０００１】
本発明は光ディスク装置に係り、特に、情報記録を行う際の記録パワーの制御に関する。
【背景技術】
【０００２】
従来、光ディスク装置において、例えばＤＶＤの高速記録では、記録時のレーザ出力を制御するために、情報記録のために光ディスクに照射されたレーザ光の戻り光（反射レーザ光）の強さを検出し、該検出結果に基づきレーザ出力を補正すること（ランニングＯＰＣと呼ばれる。ＯＰＣ：Ｏｐｔｉｍｕｍ  Ｐｏｗｅｒ  Ｃｏｎｔｒｏｌ）や、記録動作を定期的に停止し、停止直前に記録した信号の記録品質を測定し、該測定結果に基づきレーザ出力を補正すること（ウォーキングＯＰＣと呼ばれる）が行われている。
【０００３】
また、本発明に関連した従来技術であって特許文献に記載された技術としては、例えば、特開２００２−２０８１３９号公報（特許文献１）、特開２００５−９２９５０号公報（特許文献２）及び特開２００５−１１６０２７号公報（特許文献３）に記載されたものがある。特開２００２−２０８１３９号公報には、ＣＡＶ（Ｃｏｎｓｔａｎｔ  Ａｎｇｕｌａｒ  Ｖｅｌｏｃｉｔｙ）方式の光ディスクへの情報記録技術において、光ディスクの記録面を半径方向に複数の記録領域に分割して記録を行い、各々の記録領域の終端部の記録部分を再生してその再生結果に基づき、近似式に補正を加えながら、次の記録領域の記録パワーを算出して記録することで、記録動作の中断・再開にかかわらず光ディスク全面にわたって均一な特性の記録を可能にするとした技術が記載され、特開２００５−９２９５０号公報には、光ディスク装置におけるＺＣＬＶ（Ｚｏｎｅ  Ｃｏｎｓｔａｎｔ  Ｌｉｎｅａｒ  Ｖｅｌｏｃｉｔｙ）方式の情報記録技術において、光ディスクの回転速度を切替える際に、記録動作を一旦停止して、この時点で終端部分を再生してβ値を測定し、該測定したβ値と目標β値とを比較してβ値を補正し、該補正したβ値に対応してレーザ光の記録パワーを調整し、情報記録を行うとした技術が記載され、また、特開２００５−１１６０２７号公報には、光ディスク装置において、光ディスクに情報を記録する際のレーザ光のパワーを精度良く決定するために、光ディスクの所定領域からの反射レーザ光に基づき取得した反射率に関する値及びβ値を用いて記録品質に関する値を取得し、該記録品質に関する値に基づいて記録パワーを決定するとした技術が記載されている。
【０００４】
【特許文献１】特開２００２−２０８１３９号公報
【特許文献２】特開２００５−９２９５０号公報
【特許文献３】特開２００５−１１６０２７号公報
【発明の開示】
【発明が解決しようとする課題】
【０００５】
上記従来技術のうち、光ディスクに照射されたレーザ光の戻り光の検出結果に基づいてレーザ出力を補正するもの（ランニングＯＰＣ）は、記録品質の評価精度が悪いため、記録品質の確保が難しくなるおそれがある。また、記録動作を定期的に停止し、停止直前の記録品質を測定してその測定結果に基づきレーザ出力を補正するもの（ウォーキングＯＰＣ）は、記録動作を定期的に停止するため、記録時間が長くかかるとともに、光ディスクに局部的な記録感度変化がある場合にはそれへの対応が難しいという問題点がある。また、上記公報記載の技術もいずれもが、上記と同様、記録動作を定期的に停止し、停止直前の記録品質を測定することでレーザ出力を補正する技術（ウォーキングＯＰＣ）である。
【０００６】
本発明の課題点は、上記従来技術の状況に鑑み、光ディスク装置において、短時間で情報記録を行えるようにし、かつ、記録品質も確保可能にすることである。
本発明の目的は、かかる課題点を解決し、使い勝手が良く、記録性能も確保された光ディスク装置を提供することにある。
【課題を解決するための手段】
【０００７】
上記課題点を解決するために、本発明では、光ディスク装置において、記録時、反射レーザ光の強さまたは光量を検出し、該検出結果を基準値と比較し、該基準値で規定される範囲を外れるか否かを判別し、該範囲を外れるときに、記録動作を停止させ、停止直前に記録された記録マークのβ値を測定し、目標β値との差分を求め、該差分に基づき記録パワーを増大または減少させる補正を行い、該補正した記録パワーで記録動作を再開する構成とする。
【発明の効果】
【０００８】
本発明によれば、光ディスク装置において、記録時間の短縮と記録品質の確保とが可能となる。
【発明を実施するための最良の形態】
【０００９】
以下、本発明の実施形態につき、図面を用いて説明する。
図１〜図９は、本発明の実施形態の説明図である。図１は、本発明の一実施形態としての光ディスク装置の構成例図、図２は、図１の光ディスク装置における最適記録パワー設定の説明図、図３は、図１の光ディスク装置における記録異常とその検出位置の説明図、図４は、図１の光ディスク装置において記録動作停止直前位置におけるβ値についての説明図、図５は、図１の光ディスク装置において記録異常が検出された場合の記録検出位置前後の記録パワーの説明図、図６は、図１の光ディスク装置においてＣＡＶ方式の倍速記録における戻り光の記録異常検出レベルの説明図、図７は、図１の光ディスク装置における記録時の戻り光検出の説明図、図８は、図１の光ディスク装置における情報記録動作の説明図、図９は、図１の光ディスク装置においてＺＣＬＶ方式の倍速記録における戻り光の記録異常検出レベルの説明図である。
【００１０】
図１において、１は、本発明の実施形態としての光ディスク装置、２は、ＤＶＤ、青色レーザ用ディスクなどの光ディスク、３は、光ディスク２を回転駆動するディスクモータ、４は光ピックアップ、５は対物レンズ、６は、記録または再生のために所定の強さまたは光量のレーザ光を発生するレーザダイオード、７は、レーザダイオード６を駆動するレーザ駆動回路、８は、対物レンズ５を介し光ディスク２の記録面（以下、これも光ディスク面という）からの反射レーザ光を受光して電気信号に変換し出力する受光部、９は、受光部８からの信号を増幅するなどアナログ処理するアナログフロントエンド、１１は、直線状のガイド部材（図示なし）やリードスクリュー部材（図示なし）などを備えて構成され、光ピックアップ４を光ディスク２の略半径方向に移動させる移動・案内機構部、１２は、移動・案内機構部１１内にあってリードスクリュー部材（図示なし）を回転駆動するスライドモータ、１５は、ディスクモータ３やスライドモータ１２などを駆動するモータ駆動回路、３０はＤＳＰ（Ｄｉｇｉｔａｌ  Ｓｉｇｎａｌ  Ｐｒｏｃｅｓｓｏｒ）、３１は、ＤＳＰ３０内にあってモータ駆動回路１５を制御するモータ制御部、３２は、記録信号を生成する記録信号生成部、３３は、ＤＳＰ３０内にあって受光部８からの再生信号を、ＲＦ信号や、トラッキングエラー信号や、フォーカスエラー信号として処理する再生信号処理部、３４は、ＤＳＰ３０内にあって、再生信号処理部３３から出力される再生信号から、光ディスク２の反射レーザ光（戻り光）の強さまたは光量を検出し、該検出した値を、予め設定してある基準値と比較して、該検出値が該基準値で規定される範囲を外れるか否かを判別する戻り光レベル検出手段としての戻り光レベル検出部、３５は、ＤＳＰ３０内にあって再生信号処理部３３からの再生信号から、光ディスク２に記録されている記録マークのβ値を測定するβ測定手段としてのβ測定部、３６は、予め設定されている目標のβ値と、上記β測定部３５で測定したβ値との差分を求め、該差分に応じて記録パワーの補正量または補正率を演算し、該演算結果の信号をレーザ駆動回路７側に出力する記録パワー補正演算手段としての記録パワー補正演算部、３７はＤＳＰ３０内のメモリ、４０は、ＤＳＰ３０を制御する制御手段としてのマイコンである。
【００１１】
制御手段としてのマイコン４０は、ＤＳＰ３０内の、少なくともモータ制御部３１、記録信号生成部３２、戻り光レベル検出部３４、β測定部３５及び記録パワー補正演算部３６を制御する。マイコン４０は、光ディスク装置１が記録動作を開始する前の状態でＤＳＰを制御し光ディスク装置１に通常のＯＰＣ処理を行わせ、目標のβ値の設定と、それに対応して光ディスク２の記録面へ投入するレーザ光の最適な記録パワー（最適な範囲の記録パワーであって本発明を有効に構成するに足る範囲の記録パワーをいうものとする）の設定を行う。マイコン４０は、また、その後の該光ディスク装置１の記録動作中において、戻り光レベル検出部３４において上記基準値で規定される範囲を外れる強さまたは光量の反射レーザ光が検出されたとき、該戻り光レベル検出部３４を制御し、該戻り光レベル検出部３４から該検出結果に応じた制御信号をレーザ駆動回路７に向けて出力させて該レーザ駆動回路７からの記録用駆動信号のレーザダイオード６側への出力を停止させるとともに、記録信号生成部３２を制御して記録信号の生成・出力を停止させ、かつ、モータ制御部３１を制御してスライドモータ１２を停止させ、移動・案内機構部１１を停止させて、光ディスク装置１の記録動作を一時停止させる。さらに、マイコン４０は、該停止状態で、β測定部３５及び記録パワー補正演算部３６を制御し、該記録動作の停止直前に記録された記録信号による記録マークのβ値を、β測定部３５で測定させた後、記録パワー補正演算部３６に、該測定したβ値を目標β値と比較させ、さらにその差分に対応して記録パワーの補正量または補正率を演算させる。マイコン４０は、上記戻り光レベル検出部３４における上記基準値として、記録品質が許容範囲内となる値を予め設定しメモリ３７などに記憶させておく。マイコン４０は、また、記録パワー補正演算部３６が記録パワーの補正量または補正率を演算した後は、モータ制御部３１を制御して、スライドモータ１２に回転を再開させて移動・案内機構部１１を再駆動させ、光ピックアップ４の移動を再開させるとともに、記録信号生成部３２を制御して記録信号の生成・出力を行わせ、かつ、レーザ駆動回路７によりレーザダイオード６に上記補正した記録パワーに対応する発光を行わせて、該補正した記録パワーで光ディスク装置１に記録動作を再開させる。
以下、説明中で用いる図１の光ディスク装置１の構成要素には、図１の場合と同じ符号を付して用いる。
【００１２】
図２は、図１の光ディスク装置１において、記録動作前に行うＯＰＣ（Ｏｐｔｉｍｕｍ  Ｐｏｗｅｒ  ｃｏｎｔｒｏｌ）の説明図である。
図２において、横軸は、光ディスク装置１の記録動作前のＯＰＣで光ディスク２の記録面へ投入される投入パワー（以下、記録パワーという）、縦軸は、光ディスク２の記録面の記録マークのβ値である。光ディスク装置１の記録動作前のＯＰＣでは、記録パワーを変化させたレーザ光を光ディスク２の記録面に照射し、それぞれの記録パワーに対応した記録マークのβ値を、反射レーザ光による再生信号から測定し、特性曲線Ｑを求める。その後、目標のβ値であるβｔを設定し、特性曲線Ｑに基づき、該目標のβ値に対応したレーザ光の最適な記録パワー（最適記録パワー）Ｐｏの設定を行う。該最適な記録パワー（最適記録パワー）Ｐｏは、最適な範囲の記録パワーであって本発明を有効に構成するに足る範囲の記録パワーをいうものとする。光ディスク装置１は、該最適記録パワーＰｏで記録信号の記録動作を開始する。
【００１３】
図３は、光ディスク装置における記録異常とその検出位置の説明図である。
図３において、横軸は記録位置すなわちディスク半径位置、縦軸は、戻り光レベル検出部３４で検出されるディスク面からの反射レーザ光（戻り光）の強さまたは光量のレベル（以下、戻り光レベルという）と、ジッタやエラーレートにより評価される記録品質レベル（以下、単に記録品質という）である。図３中、Ａ１は、戻り光レベルが減少する場合の該戻り光レベルの特性曲線、Ａ２は、戻り光レベルが増大する場合の該戻り光レベルの特性曲線、Ｂは記録品質の特性曲線、ｒ１は、光ディスク装置１が記録動作を開始するディスク半径位置、ｒ２は、記録中に記録異常が検出されるディスク半径位置、Ｔｓは戻り光レベルの目標値、Ｔ１は、特性曲線Ａ１の場合の戻り光レベルの許容限界値（以下、戻り光レベルの下側閾値という）、Ｔ２は、特性曲線Ａ２の場合の戻り光レベルの許容限界値（以下、戻り光レベルの上側閾値という）、△Ｔ１は、特性曲線Ａ１の場合のディスク半径位置ｒ２における戻り光レベルの許容変化量、△Ｔ２は、特性曲線Ａ２の場合のディスク半径位置ｒ２における戻り光レベルの許容変化量、Ｐ１２は、ディスク半径位置ｒ２における記録品質、Ｐａは、記録品質の許容限界値である。マイコン４０は、上記戻り光レベルの下側閾値Ｔ１と、上記戻り光レベルの上側閾値Ｔ２とを、戻り光レベル検出部３４における比較動作の基準値として設定する。該下側閾値Ｔ１、該上側閾値Ｔ２はともに、記録品質が許容限界値Ｐａ以内となる値である。
【００１４】
ディスク半径位置ｒ２では、戻り光レベル検出部３４が検出する戻り光レベルが減少して（特性曲線Ａ１の場合）下側閾値Ｔ１未満となる場合、または、該戻り光レベルが増大して（特性曲線Ａ２の場合）上側閾値Ｔ２を超える場合に、マイコン４０は、予め設定された基準値で規定される範囲すなわち下側閾値Ｔ１と上側閾値Ｔ２で規定される範囲を外れる強さまたは光量の反射レーザ光が戻り光レベル検出部３４で検出されたとして、光ディスク装置１の記録動作を一時停止させ、該記録動作停止の直前に記録された領域の終端位置における記録マークのβ値をβ測定部３５で測定させ、記録パワー補正演算部３６において、該測定したβ値を目標β値と比較させ、さらにその差分に対応して記録パワーの補正量または補正率を演算させる。
【００１５】
図４は、光ディスク装置１において記録動作が停止される直前位置における記録マークのβ値の説明図である。
図４において、横軸は、光ディスク２のディスク半径位置、縦軸は、光ディスク２の記録面の記録マークのβ値である。ｒ１は、光ディスク装置１が記録動作を開始するディスク半径位置、ｒ２は、戻り光レベルが、基準値で規定される範囲を外れて（未満または超過して）検出されるディスク半径位置、βｅは、ディスク半径位置ｒ２のときにβ測定部３４が測定するβ値である。マイコン４０は、ディスク半径位置ｒ１において、光ディスク装置１に記録動作前のＯＰＣを行わせ、目標のβ値であるβｔと、レーザ光の最適記録パワーＰｏとを設定する。その後、マイコン４０は、光ディスク装置１に記録動作を開始させ、スライドモータ１２で駆動された移動・案内機構部１１が、光ピックアップ４をディスク半径位置ｒ２の方向に移動させながら記録が行われるようにする。記録時においては、例えばレーザダイオード６の温度変化に対応して該レーザダイオード６の発光特性が変化し、出射されるレーザ光の記録パワーが変化する。光ピックアップ４の対物レンズ５によりレーザ光スポットがディスク半径位置ｒ２に達したときに、戻り光レベル検出部３４により、基準値で規定された範囲を外れるレベルの反射レーザ光が検出されると、マイコン４０は、光ディスク装置１の記録動作を一時停止させ、β測定部３５に、該記録動作停止の直前に記録された領域の終端位置における記録マークのβ値としてのβｅを測定させる。図４において、ディスク半径位置ｒ２は、記録動作が一時停止された記録部終端を成すものとする。マイコン４０は、その後、記録パワー補正演算部３６に、該測定したβｅを目標β値のβｔと比較させ、さらにその差分│βｔ−βｅ│に対応して記録パワーの補正量または補正率を演算させる。該演算結果による記録パワーの補正分は、ディスク半径位置ｒ１においてＯＰＣ処理で求めた最適記録パワーをＰｏ、β値と記録パワーとの間の換算係数をｋとするとき、
Ｐｏ・ｋ・│βｔ−βｅ│                                …（数１）
となり、補正後の記録パワーは、
Ｐｏ｛１＋ｋ・│βｔ−βｅ│｝                          …（数２）
となる。
【００１６】
図５は、光ディスク装置１において記録異常が検出された場合の記録検出位置前後の記録パワーの説明図である。
光ディスク装置１において、記録動作中に、ディスク半径位置ｒ２で記録異常が検出された場合すなわちディスク半径位置ｒ２で戻り光レベル検出部３４により、基準値で規定された範囲を外れるレベルの反射レーザ光が検出された場合、マイコン４０による制御により、ディスク半径位置ｒ２で記録動作が一時停止され、記録パワー補正演算部３６の演算結果に基づき記録パワーの補正が行われる。図５において、横軸はディスク半径位置、縦軸は設定された記録パワーである。記録動作が開始されるディスク半径位置ｒ１から記録異常が検出されるディスク半径位置ｒ２までの間の領域Ｒ１では、ディスク半径位置ｒ１においてＯＰＣ処理で求めた最適記録パワーを初期値とする記録パワーで記録が行われ、該領域Ｒ１では、戻り光レベル検出部３４は戻り光レベルを再生信号により測定する。記録異常が検出されるディスク半径位置ｒ２では、β測定部３５が記録停止直前の記録マークのβ値を測定し、該測定結果に基づき、記録パワー補正演算部３６が記録パワーの補正量または補正率を演算し、マイコン４０は、該演算結果に基づき、レーザ駆動回路７を介してレーザダイオード６から、補正した記録パワーに対応したレーザ光を出射させる。ディスク半径位置ｒ２以降の領域Ｒ２では、該補正した記録パワーで記録動作が再開され、その後、該補正した記録パワーを初期値とする記録パワーで記録が続行される。
【００１７】
図６は、光ディスク装置１においてＣＡＶ方式の倍速記録における戻り光の記録異常検出レベルの説明図である。
図６において、横軸は倍速値、縦軸は戻り光レベルである。また、Ｔｓは戻り光レベルの目標値、Ｔ１は、戻り光レベルの低レベル側の許容限界値、Ｔ２は、戻り光レベルの高レベル側の許容限界値、△Ｔ１は、戻り光レベルの低レベル側の許容変化量、△Ｔ２は、戻り光レベルの高レベル側の許容変化量である。ａ〜ｄはそれぞれ、各倍速値におけるＯＰＣ処理での最適記録パワーによる戻り光レベルの目標値である。すなわち、記録の倍速値を切替えるとき、各倍速値で記録動作に先立ちＯＰＣ処理を行い、最適記録パワーを求める。各倍速値での記録動作中に、戻り光レベル検出部３４が、低レベル側の許容限界値Ｔ１未満の戻り光レベルすなわちＷ１領域の戻り光レベルを検出した場合または高レベル側の許容限界値Ｔ２を超える戻り光レベルすなわちＷ２領域の戻り光レベルを検出した場合に、記録パワーを補正するための記録動作の一時停止が行われる。戻り光レベルの許容変化量△Ｔ１、△Ｔ２は例えば約５％とする。
【００１８】
図７は、光ディスク装置１における記録時の戻り光検出の説明図である。
図７において、（ａ）は戻り光量の状態を示す図、（ｂ）は照射レーザ光の状態を示す図である。ｑ１は、記録時に記録パワーＰｗの記録パルスを光ディスクに照射した場合の戻り光量の初期値、ｑ２は、記録時に記録パワーＰｗの記録パルスを光ディスクに照射した場合の戻り光量の定常値、ｑ３は、再生時にパワーＰｒのレーザ光を光ディスクに照射した場合の戻り光量の定常値である。記録動作中、戻り光レベル検出部３４は、戻り光量ｑ１と戻り光量ｑ２との差ｑ１―ｑ２を検出し、該差が、基準値で規定された範囲から外れるか否かを判別する。戻り光量ｑ１は、戻り光量ｑ３の実測値とパワー比Ｐｗ／Ｐｒとから数３により求められる。
ｑ１＝ｑ３・Ｐｗ／Ｐｒ                                  …（数３）
また、戻り光量ｑ２は、戻り光量ｑ３と同様、実測により求められる。
よって、ｑ１―ｑ２は、数４による演算を戻り光レベル検出部３４が行うことで求められる。
ｑ１―ｑ２＝ｑ３・Ｐｗ／Ｐｒ―ｑ２                        …（数４）
図８は、図８は、光ディスク装置１における情報記録動作の説明図である。
図８において、
（１）マイコン４０は、光ディスク装置１の記録モードをスタートさせる（ステップＳ８０１）。
（２）マイコン４０は、光ディスク装置１に、記録動作に先立ち、ＯＰＣ処理を行わせ、最適記録パワーを求める（ステップＳ８０２）。
（３）マイコン４０は、ＯＰＣ処理による最適記録パワーでの再生信号から、戻り光レベルの基準値（基準戻り光レベル）を設定する（ステップＳ８０３）。
（４）マイコン４０は、光ディスク装置１に、記録信号による記録動作を開始させる（ステップＳ８０４）。
（５）マイコン４０は、記録終了か否かを判別する（ステップＳ８０５）。
【００１９】
（６）上記ステップＳ８０５における判別の結果、記録終了でない場合は、マイコン４０は、戻り光レベル検出部３４に、再生信号処理部３３から出力される再生信号から、記録動作中における戻り光レベルを検出させる（ステップＳ８０６）。
（７）マイコン４０は、戻り光レベル検出部３４に、上記ステップＳ８０６で検出した戻り光レベルと、上記ステップＳ８０３で設定した戻り光レベルの基準値とを比較させ、該検出値が該基準値で規定される範囲を外れるか否か、すなわち、変化率が該基準値で規定される変化率範囲（例えば５％）を外れるか否かを判別させる（ステップＳ８０７）。
（８）上記ステップＳ８０７における判別の結果、上記検出した戻り光レベルの変化率が上記基準値で規定される変化率範囲を外れる場合には、マイコン４０は、光ディスク装置の記録動作を一時的に停止させる（ステップＳ８０８）。
（９）マイコン４０は、光ディスク装置１の記録動作が一時停止した状態で、β測定部３５に、該記録動作停止の直前に記録された領域の終端位置における記録マークのβ値を測定させる（ステップＳ８０９）。
（１０）マイコン４０は、その後、記録パワー補正演算部３６に、該測定したβ値を目標β値と比較させ、その差分に対応した記録パワーの補正量または補正率を演算させる。例えば、上記ステップＳ８０７における判別の結果、戻り光レベル検出部３４が検出した戻り光レベルが、基準値すなわち戻り光レベルの許容限界値としての下側閾値Ｔ１（図３）に達しない場合は、上記測定したβ値と目標β値との差分に対応して記録パワーを増大させるための補正量または補正率を演算させる（ステップＳ８１０）。反対に、ステップＳ８０７における判別の結果、戻り光レベル検出部３４が検出した戻り光レベルが、基準値すなわち戻り光レベルの許容限界値としての上側閾値Ｔ２（図３）を超える場合は、測定したβ値と目標β値との差分に対応して記録パワーを減少させるための補正量または補正率を演算させることになる。
【００２０】
（１１）マイコン４０は、上記ステップＳ８１０において求めた補正量または補正率で補正した記録パワーで光ディスク装置１に記録動作を再開させる。
（１２）上記ステップＳ８０５における判別の結果、記録終了の場合は、光ディスク装置１の記録モードを終了させる（ステップＳ８１１）。
（１３）上記ステップＳ８０７における判別の結果、上記検出した戻り光レベルの変化率が基準値で規定される変化率範囲内にある場合には、マイコン４０は、記録動作を停止させずに、光ディスク装置１をステップＳ８０５の動作に移行させる。
【００２１】
上記（１）〜（１３）の一連の手順は、メモリ３７など光ディスク装置１内の記憶手段に記憶されたプログラムに従って、マイコン４０が自動的に実行する。
【００２２】
図９は、光ディスク装置１においてＺＣＬＶ方式の倍速記録における戻り光の記録異常検出レベルの説明図である。
図９において、横軸は倍速値、縦軸は戻り光レベルである。また、Ｔｓ１〜Ｔｓ３は戻り光レベルの目標値、Ｔ１１〜Ｔ１３は、戻り光レベルの低レベル側の許容限界値、Ｔ２１〜Ｔ２３は、戻り光レベルの高レベル側の許容限界値、△Ｔ１１〜△Ｔ１３は、戻り光レベルの低レベル側の許容変化量、△Ｔ２１〜△Ｔ２３は、戻り光レベルの高レベル側の許容変化量である。ｅ〜ｇはそれぞれ、各倍速値におけるＯＰＣ処理での最適記録パワーによる戻り光レベルの目標値である。すなわち、記録の倍速値を切替えるとき、各倍速値で記録動作に先立ちＯＰＣ処理を行い、最適記録パワーを求める。各倍速値での記録動作中に、戻り光レベル検出部３４が、低レベル側の各許容限界値Ｔ１１、Ｔ１２、Ｔ１３未満の戻り光レベルを検出した場合または高レベル側の各許容限界値Ｔ２１、Ｔ２２、Ｔ２３を超える戻り光レベルを検出した場合に、記録パワーを補正するための記録動作の一時停止が行われる。戻り光レベルの許容変化量△Ｔ１１〜△Ｔ１３、△Ｔ２１〜△Ｔ２３は例えば約５％とする。
【００２３】
図１〜図９で説明した実施形態によれば、光ディスク装置１の記録動作中、記録動作を一時停止しての記録パワーの補正は、定期的には行わずに、戻り光レベルが、基準値で規定された範囲を外れる値となった場合にだけ行うため、記録に要する時間を短縮することができる。また、記録動作中に戻り光レベルが、基準値で規定された範囲を外れて減少または増加した場合は、記録マークのβ値を測定し、目標β値との差分に対応した記録パワーの補正を実施するため、記録品質を確保することができる。
【００２４】
なお、上記実施形態では、制御手段としてのマイコン４０がＤＳＰ３０を制御する構成としたが、本発明はこれに限定されず、例えば、マイコンなどの制御手段がＤＳＰ３０内に含まれる構成であってもよいし、または、逆に、マイコン内に、ＤＳＰ３０内の回路の一部例えば戻り光レベル検出部３４やβ測定部３５や記録パワー補正演算部３６などが含まれる構成であってもよい。
【図面の簡単な説明】
【００２５】
【図１】本発明の一実施形態としての光ディスク装置の構成例図である。
【図２】図１の光ディスク装置における最適記録パワー設定の説明図である。
【図３】図１の光ディスク装置における記録異常とその検出位置の説明図である。
【図４】図１の光ディスク装置において記録動作停止直前位置におけるβ値についての説明図である。
【図５】図１の光ディスク装置において記録異常が検出された場合の記録検出位置前後の記録パワーの説明図である。
【図６】図１の光ディスク装置においてＣＡＶ方式の倍速記録における戻り光の記録異常検出レベルの説明図である。
【図７】図１の光ディスク装置における記録時の戻り光検出の説明図である。
【図８】図１の光ディスク装置における情報記録動作の説明図である。
【図９】図１の光ディスク装置においてＺＣＬＶ方式の倍速記録における戻り光の記録異常検出レベルの説明図である。
【符号の説明】
【００２６】
１…光ディスク装置、
２…光ディスク、
３…ディスクモータ、
４…光ピックアップ、
５…対物レンズ、
６…レーザダイオード、
７…レーザ駆動回路、
８…受光部、
９…アナログフロントエンド、
１１…移動・案内機構部、
１２…スライドモータ、
１５…モータ駆動回路、
３０…ＤＳＰ、
３１…モータ制御部、
３２…記録信号生成部、
３３…再生信号処理部、
３４…戻り光レベル検出部、
３５…β測定部、
３６…記録パワー補正演算部、
３７…メモリ、
４０…マイコン。
【図１】
2008027520.tif 000003
【図２】
2008027520.tif 000004
【図３】
2008027520.tif 000005
【図４】
2008027520.tif 000006
【図５】
2008027520.tif 000007
【図６】
2008027520.tif 000008
【図７】
2008027520.tif 000009
【図８】
2008027520.tif 000010
【図９】
2008027520.tif 000011